(57)【特許請求の範囲】
【請求項１】
入力ポートからの信号を３つに分配する１×３分配器と、該１×３分配器の１つの出力端に接続され分配された信号を所定の遅延時間で第一の出力ポートに出力するディレイラインと、平行に配置された２本のマイクロストリップ線路と、両マイクロストリップ線路上に両マイクロストリップ線路の長手方向にスライド自在に設けられ各マイクロストリップ線路に入力した信号を反射することにより各マイクロストリップ線路から出力する信号の位相を変化させる反射板と、両マイクロストリップ線路の両端と上記１×３分配器の残りの２つの出力端との間にそれぞれ挿入され互いに位相が逆の信号を二つの出力ポートにそれぞれ出力する二つの９０度ハイブリット回路とを備えたことを特徴とするマイクロ波の位相可変装置。
【請求項２】
入力ポートからの信号を３つに分配する１×３分配器と、該１×３分配器の１つの出力端に接続され分配された信号を所定の遅延時間で第一の出力ポートに出力する第一のディレイラインと、平行に配置された２本１組のマイクロストリップ線路の２組と、全マイクロストリップ線路上にスライド自在に設けられ各マイクロストリップ線路に入力した信号を反射することにより各マイクロストリップ線路から出力する信号の位相を変化させる反射板と、１組目のマイクロストリップ線路の両端と上記１×３分配器の残りの２つの出力端との間にそれぞれ挿入された第一及び第二の９０度ハイブリット回路と、第一及び第二の９０度ハイブリット回路の出力端に入力端がそれぞれ接続され入力された信号を２つに分配する第一及び第二の１×２分配器と、第一及び第二の１×２分配器の出力端に接続され位相が逆の信号を第二及び第三の出力ポートから出力させる第二及び第三のディレイラインと、２組目のマイクロストリップ線路の両端と第一及び第二の１×２分配器との間に挿入され、互いに位相が逆で位相変化量が２倍の出力信号を第四及び第五の出力ポートにそれぞれ出力する第三及び第四の９０度ハイブリット回路とを備えたことを特徴とするマイクロ波の位相可変装置。
【請求項３】
入力ポートからの信号を３つに分配する１×３分配器の１つの出力端に、出力ポートを有する第一のディレイラインの入力端を接続し、平行な２本１組のマイクロストリップ線路を同一基板上にｎ（ｎは３以上の整数）組平行に配置し、全マイクロストリップ線路の上に各マイクロストリップ線路に入力した信号を反射することにより各マイクロストリップ線路から出力する信号の位相を変化させる反射板を上記マイクロストリップ線路の長手方向にスライド自在に配置し、上記２ｎ本のマイクロストリップ線路のうち１組目のマイクロストリップ線路の両端と上記１×３分配器の残りの２つの出力端との間に、１番目及び２番目の９０度ハイブリット回路をそれぞれ挿入し、１番目及び２番目の９０度ハイブリット回路の出力端に、入力した信号を２つに分配する１番目及び２番目の１×２分配器をそれぞれ接続し、１番目及び２番目の１×２分配器の一方の出力端に、出力ポートを有する２番目及び３番目のディレイラインの入力端をそれぞれ接続し、以下同様にして、順次ｎ組目のマイクロストリップ線路の両端とｎ−１番目及びｎ番目の１×２分配器の一方の出力端との間に、ｎ−１番目及びｎ番目の９０度ハイブリット回路をそれぞれ挿入し、ｎ−１番目及びｎ番目の１×２分配器の他方の出力端に、それぞれ出力ポートを有するｎ−１番目及びｎ番目のディレイラインの入力端をそれぞれ接続し、各ディレイラインの出力端及びｎ−１番目及びｎ番目の９０度ハイブリット回路の出力端にそれぞれ出力ポートを接続し、位相がｎθ、（ｎ−１）θ、・・・、−（ｎ−１）θ、−ｎθの出力信号を２ｎ＋１個の出力ポートにそれぞれ出力させることを特徴とするマイクロ波の位相可変装置。
【請求項４】
上記反射板は、入力した信号の波長の１／４波長の金属片と１／４波長の誘電体片とを１単位として交互に２単位以上上記マイクロストリップ線路の長手方向に繰り返して接続したものであり、上記金属片が上記マイクロストリップ線路と直流的に絶縁されている請求項１から３のいずれかに記載のマイクロ波の位相可変装置。
【発明の詳細な説明】
【０００１】
【発明の属する技術分野】
本発明は、マイクロ波の位相可変装置に関する。
【０００２】
【従来の技術】
図７はマイクロ波の位相可変装置の従来例を示すブロック図である。
【０００３】
入力ポート（Ｐ０）１にマイクロ波を入力すると、ケーブル２を通って電力分配器３に至る。例えば三つに電力分配された信号は、ケーブル４を経由して位相可変装置５を通過し、再びケーブル６を通って出力ポート（Ｐ３）７に到達する。この際、必要に応じて位相可変装置５を挿入したり、省略したりし、例えば三つの出力ポート（Ｐ１〜Ｐ３）７から出力するマイクロ波の位相はそれぞれ、プラス、ゼロ、マイナスとなるようにする。このような位相可変装置５をアレイアンテナ給電系に使用して電波放射方向の制御をする等の利用ができる。
【０００４】
【発明が解決しようとする課題】
しかしながら、上述した従来の技術では、分配器や位相可変装置を独立して準備し、ケーブルで接続することにより構成するので、コストがかかったり信頼性が低下するという問題があった。
【０００５】
そこで、本発明の目的は、上記課題を解決し、低コストで信頼性の高いマイクロ波の位相可変装置を提供することにある。
【０００６】
【課題を解決するための手段】
上記目的を達成するために本発明のマイクロ波の位相可変装置は、入力ポートからの信号を３つに分配する１×３分配器と、１×３分配器の１つの出力端に接続され分配された信号を所定の遅延時間で第一の出力ポートに出力するディレイラインと、平行に配置された２本のマイクロストリップ線路と、両マイクロストリップ線路上に両マイクロストリップ線路の長手方向にスライド自在に設けられ各マイクロストリップ線路に入力した信号を反射することにより各マイクロストリップ線路から出力する信号の位相を変化させる反射板と、両マイクロストリップ線路の両端と１×３分配器の残りの２つの出力端との間に挿入され互いに位相が逆の信号を二つの出力ポートにそれぞれ出力する二つの９０度ハイブリット回路とを備えたものである。
【０００７】
本発明のマイクロ波の位相可変装置は、入力ポートからの信号を３つに分配する１×３分配器と、１×３分配器の１つの出力端に接続され分配された信号を所定の遅延時間で第一の出力ポートに出力する第一のディレイラインと、平行に配置された２本１組のマイクロストリップ線路の２組と、全マイクロストリップ線路上にスライド自在に設けられ各マイクロストリップ線路に入力した信号を反射することにより各マイクロストリップ線路から出力する信号の位相を変化させる反射板と、１組目のマイクロストリップ線路の両端と１×３分配器の残りの２つの出力端との間にそれぞれ挿入された第一及び第二の９０度ハイブリット回路と、第一及び第二の９０度ハイブリット回路の出力端に入力端がそれぞれ接続され入力された信号を２つに分配する第一及び第二の１×２分配器と、第一及び第二の１×２分配器の出力端に接続され位相が逆の信号を第二及び第三の出力ポートから出力させる第二及び第三のディレイラインと、２組目のマイクロストリップ線路の両端と第一及び第二の１×２分配器との間に挿入され、互いに位相が逆で位相変化量が２倍の出力信号を第四及び第五の出力ポートにそれぞれ出力する第三及び第四の９０度ハイブリット回路とを備えたものである。
【０００８】
本発明のマイクロ波の位相可変装置は、入力ポートからの信号を３つに分配する１×３分配器の１つの出力端に、出力ポートを有する第一のディレイラインの入力端を接続し、平行な２本１組のマイクロストリップ線路を同一基板上にｎ（ｎは３以上の整数）組平行に配置し、全マイクロストリップ線路の上に各マイクロストリップ線路に入力した信号を反射することにより各マイクロストリップ線路から出力する信号の位相を変化させる反射板をマイクロストリップ線路の長手方向にスライド自在に配置し、２ｎ本のマイクロストリップ線路のうち１組目のマイクロストリップ線路の両端と１×３分配器の残りの２つの出力端との間に、１番目及び２番目の９０度ハイブリット回路をそれぞれ挿入し、１番目及び２番目の９０度ハイブリット回路の出力端に、入力した信号を２つに分配する１番目及び２番目の１×２分配器をそれぞれ接続し、１番目及び２番目の１×２分配器の一方の出力端に、出力ポートを有する２番目及び３番目のディレイラインの入力端をそれぞれ接続し、以下同様にして、順次ｎ組目のマイクロストリップ線路の両端とｎ−１番目及びｎ番目の１×２分配器の一方の出力端との間に、ｎ−１番目及びｎ番目の９０度ハイブリット回路をそれぞれ挿入し、ｎ−１番目及びｎ番目の１×２分配器の他方の出力端に、それぞれ出力ポートを有するｎ−１番目及びｎ番目のディレイラインの入力端をそれぞれ接続し、各ディレイラインの出力端及びｎ−１番目及びｎ番目の９０度ハイブリット回路の出力端にそれぞれ出力ポートを接続し、位相がｎθ、（ｎ−１）θ、・・・、−（ｎ−１）θ、−ｎθの出力信号を２ｎ＋１個の出力ポートにそれぞれ出力させるものである。
【０００９】
上記構成に加え本発明のマイクロ波の位相可変装置の反射板は、入力した信号の波長の１／４波長の金属片と１／４波長の誘電体片とを１単位として交互に２単位以上マイクロストリップ線路の長手方向に繰り返して接続したものであり、金属片がマイクロストリップ線路と直流的に絶縁されているのが好ましい。
【００１０】
ここで、マイクロストリップ線路の上に金属片を接近させるとその金属片の近傍のマイクロストリップ線路のインピーダンスは小さくなる。このような金属片と誘電体片とを交互に２組以上マイクロストリップ線路の長手方向に配置することにより、マイクロストリップ線路のインピーダンスを１／４波長毎に異ならせることができ、ブラッググレーティング反射を利用したマイクロ波の位相可変装置を構成することができる。
【００１１】
本発明によれば、マイクロストリップ線路と、マイクロストリップ線路上をマイクロストリップ線路の長手方向にスライド自在に設けられた反射板とでマイクロ波の位相可変装置を構成するので、従来のような分配器や位相可変装置を独立して準備することやケーブル接続する必要がなくなる。この結果、低コスト化と高信頼性が期待でき、コンパクトに構成することができる。また、マイクロストリップ線路、反射板、分配器、ディレイライン、９０度ハイブリット回路を組み合わせることにより、出力ポートに−θ、０、＋θ、さらに位相がｎθ、（ｎ−１）θ、・・・、−（ｎ−１）θ、−ｎθの出力信号を出力させることができる。
【００１２】
【発明の実施の形態】
以下、本発明の実施の形態を添付図面に基づいて詳述する。
【００１３】
図１は本発明のマイクロ波の位相可変装置の一実施の形態を示す外観斜視図である。
【００１４】
基板（例えばセラミック板）８上にマイクロストリップ線路１５が形成され、マイクロストリップ線路１５の一方または両端がそれぞれ入出力端になっている（図では右端が入出力端になっているが限定されない。）。基板８上にはマイクロストリップ線路１５の一部を覆うように、かつマイクロストリップ線路１５の長手方向（矢印Ｙ１方向）にスライド自在で基板８より小さい基板（例えばセラミック板）９が配置されている。基板９上には複数の金属片（例えば銅板）１０と複数の誘電体片（例えばセラミック板）１１とがそれぞれマイクロストリップ線路１５の長手方向に入力信号の波長の１／４波長毎に交互に固定されている（図では金属片１０が３箇所であり、誘電体片１１が４箇所であるが、いずれも２箇所以上あればよい。）。
【００１５】
ここで、マイクロストリップ線路１５の上に金属片１０を接近させるとその金属片１０の近傍のマイクロストリップ線路１５のインピーダンスは小さくなる。このような金属片１０と誘電体片１１とを交互に２組以上マイクロストリップ線路１５の長手方向に接触させずに配置することにより、マイクロストリップ線路１５のインピーダンスを１／４波長毎に異ならせることができ、ブラッググレーティング反射を利用したマイクロ波の位相可変装置を構成することができる。これら基板９、金属片１０及び誘電体１１で反射板１４が構成されている。
【００１６】
次に反射板１４をマイクロストリップ線路１５の長手方向（矢印Ｙ１方向）に沿ってスライドさせれば、基板８上のマイクロストリップ線路１５の入出力端から反射板１４までの距離が変化するため出力信号の位相量を変化させることができ、位相可変マイクロ波反射装置として利用することができる。この際、金属片１０とマイクロストリップ線路１５とが直流的に絶縁されていれば、相互変調歪みの悪影響が起こらない。
【００１７】
なお、図では右端に１組の入出ポートが形成されているが、マイクロストリップ線路１５の両端を二つの入出力ポート１組としてもよい。この場合、例えば、基板８が図の右側にスライドするとき、左側のポートの反射波の位相は遅れ、右側のポートの反射波の位相は進み、位相可変量絶対値が等しく符号が逆である位相可変マイクロ波反射装置として利用することができる。
【００１８】
図２は本発明のマイクロ波の位相可変装置の他の実施の形態を示す平面図である。
【００１９】
図１に示した実施の形態との相違点は、平行な２本のマイクロストリップ線路１５ａ、１５ｂ上に反射板１４−１をスライド自在に配置すると共に、９０度ハイブリット回路１３を設けた点である。
【００２０】
基板８上に基板８の一端（図では左端）から他端（図では右端）の途中まで２本の平行なマイクロストリップ線路１５ａ、１５ｂが形成され、両マイクロストリップ線路１５ａ、１５ｂの一端にポート１２ａ、１２ｂが形成されている。マイクロストリップ線路１５ａ、１５ｂのポート側には９０度ハイブリット回路１３が形成されている。９０度ハイブリット回路１３としては、ブランチライン形、１／４波長分布結合形、インタディジテイト形等が用いられる。マイクロストリップ線路１５ａ、１５ｂの他端側（図では右側）には反射板１４−１がマイクロストリップ線路１５ａ、１５ｂの長手方向（Ｙ２）にスライド自在に配置されている。反射板１４−１は基板８より小さい基板９−１と、基板９−１上に固定され図１に示した反射板１４と同様に固定された金属片１０と誘電体片１１とで構成されている。
【００２１】
ポート１２ａに入力された信号は、９０度ハイブリット回路１３の入力ポート１２ｂに至る。信号はポート１２ｃに３ｄＢ減、同位相で伝送する。ポート１２ｄには３ｄＢ減、９０度遅れで信号が伝送する。ポート１２ｅには信号は伝送されない。ポート１２ｃ、１２ｄからマイクロストリップ線路１５ａ、１５ｂに伝送した信号は、反射板１４の反射部１４ａ、１４ｂにより反射されて再びポート１２ｃ、１２ｄに至る。このときポート１２ｃ、１２ｄの位相関係を崩さないようにするため、反射部１４ａとポート１２ｃとの距離と、反射部１４ｂとポート１２ｄとの距離を等しくしておくのが好ましい。反射波は再び９０度ハイブリット回路１３に入力される。
【００２２】
但し、ポート１２ｃからポート１２ｂ、ポート１２ｄからポート１２ｅへ進む信号は３ｄＢ減、同位相であり、ポート１２ｃからポート１２ｅ、ポート１２ｄからポート１２ｂへの信号は３ｄＢ減、９０度位相遅れである。
【００２３】
従って、ポート１２ｂに現れる信号は、−６ｄＢ同位相と−６ｄＢ１８０度遅れの重ね合わせとなるため、相殺されて信号が現れない。また、ポート１２ｅに現れる信号は、−６ｄＢ９０度遅れと−６ｄＢ９０度遅れの重ね合わせとなるため、０ｄＢ９０度遅れの信号が現れる。この信号は９０度ハイブリット回路１３のポート１２ｅから出力ポート１２ｆに伝送される。このようにしてポート１２ａからポート１２ｆに全電力が伝送される。
【００２４】
以上において、反射部１４ａ、１４ｂを同一基板９−１上に形成して一体型の反射板１４−１とし、反射板１４−１を矢印Ｙ２方向にスライドさせるときに反射部１４ａ、１４ｂが等しい距離だけ移動できるようにすることで、ポート１２ｃ、１２ｄに至る反射波の位相は反射板１４のスライド距離によって変化するが、これらの反射波の相対的な位相差は反射板１４のスライド距離によらずに９０度に保たれたままである。従って、全電力がポート１２ａからポート１２ｆに伝送され、かつ反射板１４−１のスライド距離を変化させることにより、位相を変化させることができる。
【００２５】
図３は本発明のマイクロ波の位相可変装置の他の実施の形態を示す平面図である。
【００２６】
図２に示した実施の形態との相違点は、反射板１４−１の配置の向きを反対とし、平行な２本のマイクロストリップ線路１５ａ、１５ｂの両端に入出力ポート（入力１、２、出力１、２）を設けると共に、２個の９０度ハイブリット回路１３−１、１３−２をマイクロストリップ線路１５ａ、１５ｂ間に設けた点である。
【００２７】
この位相可変装置は、反射板１４−１を矢印Ｙ３方向にスライドさせることにより、位相可変量絶対値が等しく符号が逆である信号を出力させることができ、位相可変マイクロ波反射装置を二つ一組として利用することができる。
【００２８】
図４は本発明のマイクロ波の位相可変装置の他の実施の形態を示す回路図である。
【００２９】
本位相可変装置は、一つの入力ポート１９と三つの出力ポート２０1、２０2、２０3とを有し、各出力ポート２０1〜２０3の位相をθ、０、−θとしたものである。
【００３０】
入力ポート１９からの信号を三つに分配する１×３分配器２１0の１つの出力端にディレイライン２２0の入力端が接続されている。２本の平行なマイクロストリップ線路１５ａ、１５ｂ上に反射板１４−１がマイクロストリップ線路１５ａ、１５ｂの長手方向（矢印Ｙ４方向）にスライド自在に配置されている。両マイクロストリップ線路１５ａ、１５ｂの両端と１×３分配器２１0の残りの２つの出力端との間に二つの９０度ハイブリット回路（例えばインタディジテイト形）１３1、１３2が挿入されている。ディレイライン２２0の出力端にポート２０0が形成され、一方（図では左側）の９０度ハイブリット回路１３1の出力端にポート２０1が形成され、他方（図では右側）の９０度ハイブリット回路１３2の出力端にポート２０2が形成されている。
【００３１】
入力ポート１９からの信号は１×３分配器２１0で３分配され、一方はディレイライン２２0に入力され、他方は９０度ハイブリット回路１３1、１３2にそれぞれ入力される。両９０度ハイブリット回路１３1、１３2からの信号は反射板１４−１で反射され、ポート２０1、２０2の位相をそれぞれ−θ、θと逆相に変えられる。また、出力ポート２０0側のディレイライン２２0によって位相を０に合わせれば、出力ポート２０2の位相をθとし、出力ポート２０0の位相を０とし、出力ポート２０1の位相を−θとすることができる。
【００３２】
図５は本発明のマイクロ波の位相可変装置の他の実施の形態を示す回路図である。
【００３３】
本位相可変装置は入力した信号を５分配すると共に、出力信号の位相を２θ、θ、０、−θ、−２θとするものである。
【００３４】
入力端に入力ポート１９が形成された１×３分配器２１0の１つの出力端（図では左端）にディレイライン２２0の入力端が接続され、ディレイライン２２0の出力端に出力ポート２０0が形成されている。２本１組の平行なマイクロストリップ線路１５ａ−１、１５ｂ−１とマイクロストリップ線路１５ａ−２、１５ｂ−２とが同一基板（図示せず。）上に形成され、全マイクロストリップ線路１５ａ−１、１５ｂ−１、１５ａ−２、１５ｂ−２上に全マイクロストリップ線路１５ａ−１、１５ｂ−１、１５ａ−２、１５ｂ−２の一部を覆うと共にマイクロストリップ線路１５ａ−１、１５ｂ−１、１５ａ−２、１５ｂ−２の長手方向（矢印Ｙ５方向）にスライド自在に反射板１４−２が配置されている。反射板１４−２は図２に示した反射板１４−１を２つ同一基板に並列に一体的に形成したものである。
【００３５】
１×３分配器２１0の残りの２つの出力端と１組目（図では上側）のマイクロストリップ線路１５ａ−１、１５ｂ−１の両端との間には第一及び第二の９０度ハイブリット回路１３1、１３2がそれぞれ挿入されている。両９０度ハイブリット回路１３1、１３2の出力端は第一及び第二の１×２分配器２１1、２１2の入力端にそれぞれ接続されている。両１×２分配器２１1、２１2の一方の出力端には第一及び第二のディレイライン２２1、２２2の入力端が接続され、両ディレイライン２２1、２２2の出力端には出力ポート２０1、２０2がそれぞれ形成されている。
【００３６】
両１×２分配器２１1、２１2の他方の出力端と２組目のマイクロストリップ線路１５ａ−２、１５ｂ−２の両端との間には第三及び第四の９０度ハイブリット回路１３3、１３4がそれぞれ挿入されている。第三及び第四の９０度ハイブリット回路１３3、１３4の出力端には出力ポート２０3、２０4がそれぞれ形成されている。
【００３７】
この位相可変装置は反射板１４−２を矢印Ｙ５方向にスライドさせることにより、例えば出力ポート２０3から位相が２θ、出力ポート２０1から位相がθ、出力ポート２０0から位相が０、出力ポート２０2から位相が−θ、出力ポート２０4から位相が−２θの信号をそれぞれ出力させることができる。
【００３８】
図６は本発明のマイクロ波の位相可変装置の他の実施の形態を示す回路図である。
【００３９】
本位相可変装置は、一つの入力ポート１９と、２ｎ＋１個の出力ポート２０0〜２０nを有し、各出力ポート２０0〜２０nから位相がｎθ、（ｎ−１）θ、・・・、−（ｎ−１）θ、−ｎθの出力信号をそれぞれ出力させるようにしたものである。
【００４０】
入力ポート１９からの信号を３つに分配する１×３分配器２１0の１つ（図では左端側）の出力端に、出力ポート２０0を有する１番目のディレイライン２２0の入力端が接続されている。
【００４１】
平行な２本１組のマイクロストリップ線路１５ａ−１、１５ｂ−１と、マイクロストリップ線路１５ａ−２、１５ｂ−２と、・・・、マイクロストリップ線路１５ａ−ｎ、１５ｂ−ｎ（以下「１５ａ−１〜１５ａ−ｎ、１５ｂ−１〜１５ｂ−ｎ」と表す。）とが同一基板上にｎ（ｎは３以上の整数）組平行に配置されている。
【００４２】
全マイクロストリップ線路１５ａ−１〜１５ａ−ｎ、１５ｂ−１〜１５ｂ−ｎの上に各マイクロストリップ線路１５ａ−１〜１５ａ−ｎ、１５ｂ−１〜１５ｂ−ｎに入力した信号を反射することにより各マイクロストリップ線路１５ａ−１〜１５ａ−ｎ、１５ｂ−１〜１５ｂ−ｎから出力する信号の位相を変化させる反射板１４−３がマイクロストリップ線路１５ａ−１〜１５ａ−ｎ、１５ｂ−１〜１５ｂ−ｎの長手方向（矢印Ｙ６方向）にスライド自在に配置されている。
【００４３】
反射板１４−３は図２に示した反射板１４−１をｎ組基板上に並列配置して一体化した構造を有している。
【００４４】
２ｎ本のマイクロストリップ線路１５ａ−１〜１５ａ−ｎ、１５ｂ−１〜１５ｂ−ｎのうち１組目（図では一番上）のマイクロストリップ線路１５ａ−１、１５ｂ−１の両端と１×３分配器２１0の残りの２つの出力端との間に、それぞれ１番目及び２番目の９０度ハイブリット回路１３1、１３2がそれぞれ挿入されている。
【００４５】
１番目及び２番目の９０度ハイブリット回路１３1、１３2の出力端は、入力した信号を２つに分配する１番目及び２番目の１×２分配器２１1、２１3の入力端に接続されている。１番目及び２番目の１×２分配器２１1、２１3の一方の出力端（図では両側）には、出力ポート２０2、２０3をそれぞれ有する２番目及び３番目のディレイライン２２1、２２2の入力端が接続されている。
【００４６】
以下同様にして、ｎ組目（図では一番下）のマイクロストリップ線路１５ａ−ｎ、１５ｂ−ｎの両端とｎ−１番目及びｎ番目の１×２分配器２１n-1、２１nの一方の出力端との間に、出力ポート２０n-3、２０n-2をそれぞれ有するｎ−１番目及びｎ番目の９０度ハイブリット回路１３n-1、１３nをそれぞれ挿入し、ｎ−１番目及びｎ番目の１×２分配器２１n-1、２１nの他方の出力端に、それぞれ出力ポート２０n-3、２０n-2を有するｎ−１番目及びｎ番目のディレイライン２２n-1、２２nの入力端をそれぞれ接続し、各ディレイライン２２1〜２２nの出力端及び１番目及びｎ番目の９０度ハイブリット回路１３1〜１３nの出力端にそれぞれ出力ポート２０1〜２０nを接続し、位相がｎθ、（ｎ−１）θ、・・・、−（ｎ−１）θ、−ｎθの出力信号を２ｎ＋１個の出力ポート２０0〜２０nにそれぞれ出力させるものである。
【００４７】
本位相可変装置は、反射板１４−３をＹ６方向にスライドすることにより、出力ポート２０0から位相が０、出力ポート２０1から位相がθ、出力ポート２０2から位相が−θ、・・・、出力ポート２０n-1から位相が（ｎ−１）θ、出力ポート２０n-2から位相が−（ｎ−１）θ、出力ポート２０n-1から位相がｎθ、出力ポート２０nから位相が−ｎθの信号が出力される。
【００４８】
以上において、本発明はマイクロストリップ線路をベースにして同一基板上に分岐装置及び位相可変装置を構成するため、コストパフォーマンスや信頼性を向上させることができる。
【００４９】
【発明の効果】
以上要するに本発明によれば、低コストで信頼性の高いマイクロ波の位相可変装置の提供を実現することができる。
【図面の簡単な説明】
【図１】  本発明のマイクロ波の位相可変装置の一実施の形態を示す外観斜視図である。
【図２】  本発明のマイクロ波の位相可変装置の他の実施の形態を示す平面図である。
【図３】  本発明のマイクロ波の位相可変装置の他の実施の形態を示す平面図である。
【図４】  本発明のマイクロ波の位相可変装置の他の実施の形態を示す回路図である。
【図５】  本発明のマイクロ波の位相可変装置の他の実施の形態を示す回路図である。
【図６】  本発明のマイクロ波の位相可変装置の他の実施の形態を示す回路図である。
【図７】  マイクロ波の位相可変装置の従来例を示すブロック図である。
【符号の説明】
８  基板
１３1〜１３n  ９０度ハイブリット回路
１４、１４−１、１４−２、１４−３  反射板
１５、１５ａ、１５ｂ、１５ａ−１〜１５ａ−ｎ、１５ｂ−１〜１５ｂ−ｎ  マイクロストリップ線路
１９  入力ポート
２０0〜２０n  出力ポート
２１0  １×３分配器
２１1〜２１n  １×２分配器
２２0〜２２n  ディレイライン
【図１】
0003636125.tif 000002
【図２】
0003636125.tif 000003
【図３】
0003636125.tif 000004
【図４】
0003636125.tif 000005
【図５】
0003636125.tif 000006
【図６】
0003636125.tif 000007
【図７】
0003636125.tif 000008